(57)【要約】【課題】  防噴流構造から成る換気口を備えたキュービクルの排気構造であって、点検し易い簡易な構造の換気扇を備えたキュービクルの排気構造を提供する。【解決手段】  屋根の直下前面側に防噴流構造の排気口１１ｂを備えたキュービクルにおいて、キュービクル内部に排気口１１ｂから強制排気するためのプロペラファンから成る換気扇１０を設置し、この換気扇１０と排気口１１ｂの間に排気を案内するための排気ダクト１３を設けた。排気ダクト１３は、排気口１１ｂからメーターパネル８近傍まで延設され、換気扇１０がメーターパネル背部の空気を主に排気するよう配置した。【選択図】  図１
2009071906.tif 000002
【特許請求の範囲】
【請求項１】
屋根の直下に防噴流構造の換気口を備えたキュービクルにおいて、キュービクル内部の前記換気口近傍に、前記換気口から強制排気するためのプロペラファンを設置すると共に、前記プロペラファンと前記換気口の間に排気を案内するための排気ダクトを設けたことを特徴とするキュービクルの排気構造。
【請求項２】
換気口がメーターパネルが立設されたキュービクル前面側に設けられている場合は、排気ダクトは前記排気口から前記メータパネル近傍まで延設されて成る請求項１記載のキュービクルの排気構造。
【発明の詳細な説明】
【技術分野】
【０００１】
本発明は、屋外に受配電設備を設置する際に使用するキュービクルの排気構造に関し、特に換気扇を使用した強制排気構造に関する。
【背景技術】
【０００２】
屋外に設置されるキュービクルのうち、換気扇を取り付けて強制排気が行われるものは、天板上にフードを取り付けてその中に換気扇を配置したり、背部にフードを取り付けてその中に換気扇を配置したものが広く普及していた。しかし、このような構造の場合、フードを防噴流構造とする必要があるため換気扇のメンテナンスがし辛かったし、天板上に設置したものは冬場の雪により換気効率が低下する問題があった。そのために、特許文献１に開示されているように、キュービクル内に換気扇を配置したものが提案されている。この特許文献１では、元々備わっている防噴流構造の換気口を利用して強制排気するよう構成され、換気扇にクロスフローファンが使用されている。
【特許文献１】特開２００３−１５３４０４号公報
【発明の開示】
【発明が解決しようとする課題】
【０００３】
上記特許文献１に開示された構成は、元々備わっている防噴流構造の換気口を利用して強制排気する構造であるため、換気扇自体を防噴流構造とする必要がない。しかし、横長に形成された吹き出し口に合うよう横長の形状のクロスフローファンを換気扇として使用しているため、空気の流れを整えるためのフードの構造が複雑なものとなっており、点検し易いキュービクル内に設置したにも拘わらず、換気扇の点検が困難なものとなっていた。
【０００４】
そこで、本発明はこのような問題点に鑑み、防噴流構造から成る換気口を備えたキュービクルの排気構造であって、点検し易い簡易な構造の換気扇を備えたキュービクルの排気構造を提供することを目的とする。
【課題を解決するための手段】
【０００５】
上記課題を解決する為に、請求項１に記載の発明は、屋根の直下に防噴流構造の換気口を備えたキュービクルにおいて、キュービクル内部の前記換気口近傍に、前記換気口から強制排気するためのプロペラファンを設置すると共に、前記プロペラファンと前記換気口の間に排気を案内するための排気ダクトを設けたことを特徴とする。
この構成によれば、プロペラファンを使用することで、ダクトは単純な筒状に形成すれば良く、換気扇を覆う部材が無く点検がし易い。そして、換気扇と換気口の間に排気を案内するダクトを取り付けるだけの簡易な構造で換気扇を防噴流構造にできる。また、プロペラファンを使用することで大きな風量で排気でき、効果的な換気を実施できる。
【０００６】
請求項２の発明は、請求項１に記載の発明において、換気口がメーターパネルが立設されたキュービクル前面側に設けられている場合は、排気ダクトは前記排気口から前記メータパネル近傍まで延設されて成ることを特徴とする。
この構成によれば、簡易な構造を維持した状態でメータパネル背部に設置されている変圧器等の主要熱源から放出される熱を効果的に排気できる。また、メーターパネル上部付近の空間は設置される機器が元々無い為、この位置への換気扇の設置は既存の機器を移動すること無く容易に設置することができる。
【発明の効果】
【０００７】
本発明によれば、プロペラファンを使用することで、ダクトは単純な筒状に形成すれば良く、換気扇を覆う部材が無く点検がし易い。そして、換気扇と換気口の間に排気を案内するダクトを取り付けるだけの簡易な構造で換気扇を防噴流構造にできる。また、プロペラファンを使用することで大きな風量で排気でき、効果的な換気を実施できる。
【発明を実施するための最良の形態】
【０００８】
以下、本発明を具体化した実施の形態を、図面に基づいて詳細に説明する。図１は本発明に係る排気構造を備えたキュービクルの一例を示す断面説明図であり、１はキュービクルの上部を閉塞する屋根板、２は前面に取り付けられた扉、３は背板であり、内部に受電設備を構成する進相コンデンサ５、変圧器６、遮断器７、メーターパネル８等が設置されている。そして、１０が強制排気のために設置されたプロペラファンから成る換気扇である。
尚、キュービクルは箱状に形成され、少なくとも前面に開閉操作を容易とする扉２が設けられ、左右側面及び背面はパネル（側板や背板３）で閉塞されている。そして、上下端部の双方に、換気のための換気口（吸気口１１ａや排気口１１ｂ）１１が設けられている。
【０００９】
図２は、図１の換気扇１０を取り付けたキュービクル上端部の拡大図であり、屋根板１の前方に突出形成された庇部１ａは、下方が開放されて形成され、この庇１ａの内部となる扉２の上部に排気口１１ｂが形成されている。また、庇部１ａの内部で排気口１１ｂ下部の前面側には、雨水の浸入を阻止するための折返し板１２が設置され、排気口１１ｂは防噴流構造となっている。
【００１０】
そして、１３は換気扇１０による送風を排気口１１ｂへ案内する排気ダクトであり、図３に示すように略台形形状の側板１３ａを有し、四角形の底板１３ｂ、換気扇１０を設置するための取付枠１３ｃを有し、排気口１１ｂは取付枠１３ｃに対向する垂直面に開口形成されている。
【００１１】
取付枠１３ｃは、図４に示すように大きく開口された通風口１４が形成された四角形板体であり、１５は換気扇１０を固定するボルトを示している。また、底板１３ｂは、キュービクル前面からメータ−パネル８に至る奥行きを有し、換気扇１０によりメーターパネル８背部の空気を中心に強制排気するよう構成されている。
【００１２】
このように、換気扇にプロペラファンを使用することで、ダクトは単純な筒状に形成すれば良く、換気扇を覆う部材が無く点検がし易い。そして、換気扇と換気口の間に排気を案内するダクトを取り付けるだけの簡易な構造で換気扇を防噴流構造にできる。また、プロペラファンを使用することで大きな風量で排気でき、効果的な換気を実施できる。
また、前方に排気する構成であっても簡易な構造を維持した状態でメータパネル背部に設置されている変圧器等の主要熱源から放出される熱を効果的に排気できるし、メーターパネル上部付近の空間は設置される機器が元々無い為、この位置への換気扇の設置は既存の機器を移動すること無く容易に設置することができる。
【００１３】
図５は本発明に係る排気構造を備えたキュービクルの他の例を示す断面説明図であり、無停電電源装置を収容したキュービクルを示している。このキュービクルは前面に前面扉２０、背面に背面扉２１が設けられ、双方の扉２０，２１の上部に防噴流型の換気口２３（２３ａ，２３ｂ）が設けられている。そして、キュービクルの背部の換気口２３ｂに強制排気させるための換気扇２４が上記実施形態と同様に排気ダクト２５を使用して設置されている。また、２６は無停電電源装置、２７は前面扉に形成された吸気口であり、矢印は吸気から排気に至る空気の流れを示している。
このように、メーターパネルのない構造のキュービクルにあっては、換気扇２４の取付位置は制限を受けることはないが、吸気口２６が特定の側面にある場合は、吸気口２６に対して対角線方向に配置することで主要熱源から放出される熱を効果的に排気できる。
【００１４】
尚、この場合、前面側にも防噴流型の換気口２３ａを備えているので、前面側に換気扇２３を設置してもかまわないし、前後双方に設置することもできる。
【図面の簡単な説明】
【００１５】
【図１】本発明に係るキュービクルの排気構造の一例を示す図で、キュービクルの縦断面説明図である。
【図２】図１の要部拡大図であり、排気部の構造を示している。
【図３】排気ダクトの側面図である。
【図４】排気ダクトの換気扇取付枠である。
【図５】キュービクルの他の構造を示す縦断面説明図である。
【符号の説明】
【００１６】
１・・屋根板、１ａ・・庇部、８・・メーターパネル、１０・・換気扇、１１・・換気口、１１ｂ・・排気口、１３・・排気ダクト、２３（２３ａ，２３ｂ）・・換気口、２４・・換気扇、２５・・排気ダクト。
【図１】
2009071906.tif 000003
【図２】
2009071906.tif 000004
【図３】
2009071906.tif 000005
【図４】
2009071906.tif 000006
【図５】
2009071906.tif 000007